(57)【要約】【課題】揚重作業の吊り元の設置及びその解体に手間がかからない。【解決手段】昇降路１０の壁１１に固定された２箇所のレールブラケット１４の間に着脱自在に架設できる吊り元用治具１Ａを用い、この吊り元用治具１Ａを最上位置の２箇所のレールブラケット１４の間に架設し、この吊り元用治具１Ａを吊り元として揚重機器１５を設置し、この揚重機器１５によって昇降路１０内でのガイドレール１６の揚重作業を行い、揚重作業の終了後に吊り元用治具１Ａをレールブラケット１４より取り外し、この取り外した各レールブラケット１４にガイドレール１６をそれぞれ取り付ける。【選択図】　　　図１
2004136993.tif 000002
【特許請求の範囲】
【請求項１】
昇降路の壁に固定された少なくとも２箇所のレール取付部材に渡るように着脱自在に架設できることを特徴とするエレベータ機器の吊り元用治具。
【請求項２】
昇降路の壁に固定されたアンカーボルトに固定され、ガイドレール側の部材の取付部を有すると共に揚重機器の吊り元にできる吊り元部を有することを特徴とするエレベータ機器の吊り元用治具。
【請求項３】
請求項１記載のエレベータ機器の吊り元用治具であって、
長手方向の長さを調整できる長さ調整部と、端部の向きを調整できる方向調整部とを有することを特徴とするエレベータ機器の吊り元用治具。
【請求項４】
昇降路の壁に固定された最上位置の２箇所のレールブラケットの間に吊り元用治具を架設し、この吊り元用治具を吊り元として揚重機器を設置し、この揚重機器によって前記昇降路内でのエレベータ機器の揚重作業を行い、揚重作業の終了後に前記吊り元用治具を前記レールブラケットより取り外し、この取り外した前記各レールブラケットにガイドレールをそれぞれ取り付けることを特徴とするエレベータ機器の揚重方法。
【請求項５】
昇降路の壁に固定された最上位置の２箇所のアンカーボルトの間に吊り元用治具を架設し、この吊り元用治具を吊り元として揚重機器を設置し、この揚重機器によって前記昇降路内でのエレベータ機器の揚重作業を行い、揚重作業の終了後に前記吊り元用治具を前記アンカーボルトより取り外し、この取り外した各箇所の前記アンカーボルトを用いてレールブラケットをそれぞれ取り付け、この各レールブラケットにガイドレールを取り付けることを特徴とするエレベータ機器の揚重方法。
【請求項６】
昇降路の壁に固定された最上位置のアンカーボルトに、ガイドレールの取付部を有すると共に揚重機器の吊り元にできる吊り元部を有する吊り元用治具を固定し、この吊り元用治具の前記吊り元部を吊り元として揚重機器を設置し、この揚重機器によって前記昇降路内でのエレベータ機器の揚重作業を行い、揚重作業の終了後に前記吊り元用治具より前記揚重機器を取り外し、前記吊り元用治具にガイドレールを取り付けることを特徴とするエレベータ機器の揚重方法。
【発明の詳細な説明】
【０００１】
【発明の属する技術分野】
本発明は、昇降路内でのエレベータ機器の揚重作業を行うためのエレベータ機器の吊り元用治具及びこれを用いた揚重方法に関する。
【０００２】
【従来の技術】
エレベータの据付け工事では、下部ピットより昇降路を利用してエレベータ機器（ガイドレール、乗りかごなど）を搬送する。この搬送を行うために、昇降路の最上位置に吊り元を設置する必要がある。上部昇降路の上部に機械室や十分なスペースがある場合には、図６に示すような、例えば特許文献１に開示されている方法で行うのが一般的である。つまり、図６に示すように、昇降路３０の上部に機械室３１が設けられ、この機械室３１に吊り元を兼用する揚重機３２を設置し、この揚重機３２を用いてエレベータ機器であるガイドレール３３の揚重作業を行う。
【０００３】
しかし、昇降路３０の上部に機械室３１や十分なスペースがない場合には昇降路３０の最上位置にアングルピースなどを取り付け、このアングルピースに滑車等を取り付けて吊り元としていた。そして、揚重作業が終了すると、アングルピースなどを全て取り外し、アンカーボルトの切り落としなどの作業を行う。
【０００４】
【発明が解決しようとする課題】
しかしながら、上記した従来の方法では、昇降路の壁に吊り元用の部品を取り付け、揚重作業が終了すると、吊り元用の部品を壁から全て取り外す必要があるため、揚重作業の吊り元の設置及びその解体に手間がかかるという問題があった。
【０００５】
そこで、本発明は、このような課題を解決すべくなされたものであり、揚重作業の吊り元の設置及びその解体に手間がかからないエレベータ機器の吊り元用治具及びこれに用いた揚重方法を提供することを目的とする。
【０００６】
【課題を解決するための手段】
この発明の第１の特徴は、昇降路の壁に固定された少なくとも２箇所のレール取付部材に渡るように着脱自在に架設できることを特徴とするエレベータ機器の吊り元用治具である。
【０００７】
この発明の第２の特徴は、昇降路の壁に固定されたアンカーボルトに固定され、ガイドレール側の部材の取付部を有すると共に揚重機器の吊り元にできる吊り元部を有することを特徴とするエレベータ機器の吊り元用治具である。
【０００８】
この発明の第３の特徴は、エレベータ機器の揚重方法であって、昇降路の壁に固定された最上位置の２箇所のレールブラケットの間に吊り元用治具を架設し、この吊り元用治具を吊り元として揚重機器を設置し、この揚重機器によって前記昇降路内でのエレベータ機器の揚重作業を行い、揚重作業の終了後に前記吊り元用治具を前記レールブラケットより取り外し、この取り外した前記各レールブラケットにガイドレールをそれぞれ取り付けることにある。
【０００９】
この発明の第４の特徴は、エレベータ機器の揚重方法であって、昇降路の壁に固定された最上位置の２箇所のアンカーボルトの間に吊り元用治具を架設し、この吊り元用治具を吊り元として揚重機器を設置し、この揚重機器によって前記昇降路内でのエレベータ機器の揚重作業を行い、揚重作業の終了後に前記吊り元用治具を前記アンカーボルトより取り外し、この取り外した各箇所の前記アンカーボルトを用いてレールブラケットをそれぞれ取り付け、この各レールブラケットにガイドレールを取り付けることにある。
【００１０】
この発明の第５の特徴は、エレベータ機器の揚重方法であって、昇降路の壁に固定された最上位置のアンカーボルトに、ガイドレールの取付部を有すると共に揚重機器の吊り元にできる吊り元部を有する吊り元用治具を固定し、この吊り元用治具の前記吊り元部を吊り元として揚重機器を設置し、この揚重機器によって前記昇降路内でのエレベータ機器の揚重作業を行い、揚重作業の終了後に前記吊り元用治具より前記揚重機器を取り外し、前記吊り元用治具にガイドレールを取り付けることにある。
【００１１】
【発明の実施の形態】
以下、本発明の実施形態を図面に基づいて説明する。
【００１２】
図１は本発明の第１実施形態を示し、吊り元用治具を設置した状態を示す要部側面図である。
【００１３】
図１に示すように、吊り元用治具１Ａは、第１梁部２と第２梁部３とが長さ調整部４を介して一直線状に連結され、全体として梁形状を有する。長さ調整部４は例えばボールネジ構造であり、長さ調整部４を回転操作することにより第１梁部２の端部から第２梁部３の端部までの長さ、つまり、長手方向の長さを調整できるようになっている。第１梁部２と第２梁部３の各端部には、ボルト挿通孔（図示せず）が形成されており、このボルト挿通孔を利用してレール取付部材としてのレールブラケット１３に着脱自在に取り付けできるようになっている。
【００１４】
次に、この吊り元用治具１Ａの設置作業から揚重作業を経て吊り元用治具１Ａの解体作業までを説明する。昇降路１０の互いに対向する壁１１には上下方向の適所にアンカーボルト１２が取り付けされ、この各アンカーボルト１２の箇所にはナット１３を用いてレールブラケット１４が既に固定されているものとする。
【００１５】
先ず、昇降路１０の最上位置の互いに対向するレールブラケット１４の間に吊り元用治具１Ａを掛け渡し、吊り元用治具１Ａの両端をボルト５とナット６で各レールブラケット１４に固定する。次に、吊り元用治具１Ａを吊り元として揚重機器１５を取り付け、この揚重機器１５のロープ１５ａの先端にエレベータ機器であるガイドレール１６を引っ掛けて所定位置の高さまで吊り上げる。このように所定高さまで吊り上げたガイドレール１６を位置調整用ブラケット１７を介してレールブラケット１３に取り付ける。
【００１６】
全てのガイドレール１６等の吊り上げ作業が終了すると、揚重機器１４と共に吊り元用治具１Ａをレールブラケット１４より取り外す。そして、吊り元用治具１Ａが取り外された最上位置の各レールブラケット１４に各ガイドレール１６を取り付ける。
【００１７】
以上、第１実施形態の吊り元用治具１Ａを用いることにより、レールブラケット１４が既に取り付けられた後では、そのレールブラケット１４の間に吊り元用治具１Ａを単に取り付ければ吊り元の設置ができ、レールブラケット１４より吊り元用治具１Ａを取り外せば吊り元の解体が完了し、レールブラケット１４まで取り外す必要がないため、揚重作業１４の吊り元の設置及びその解体に手間がかからない。
【００１８】
また、吊り元用治具１Ａは、最上位置の一対のレールブラケット１４に架設されるため、下方の各ガイドレール１６の真上位置やその近傍を吊り元位置に容易に設定できるため、ガイドレール１６の吊り上げ位置を最適な位置にできるという利点がある。
【００１９】
第１実施形態では、吊り元用治具１Ａに長さ調整部４が設けられているため、２箇所のレールブラケット１４間の距離が異なる場合、具体的には、対向する壁１１の幅が異なる昇降路１０等に適用可能である。
【００２０】
図２は本発明の第２実施形態を示し、吊り元用治具を設置した状態を示す要部斜視図である。
【００２１】
図２に示すように、第２実施形態の吊り元用治具１Ｂも、前記第１実施形態の吊り元用治具１Ａと同様に、第１梁部２と第２梁部（図示せず）とが長さ調整部（図示せず）を介して一直線状に連結され、全体として梁形状を有する。しかし、第１実施形態のものと異なり、第１梁部２と第２梁部（図示せず）の各端部にはフランジ部７，（図示せず）がそれぞれ設けられている。この各フランジ部７，（図示せず）には長孔のボルト挿通孔８が形成されており、このボルト挿通孔８を利用しアンカーボルト１２に着脱自在に取り付けできるようになっている。
【００２２】
次に、この吊り元用治具１Ｂの設置作業から揚重作業を経て吊り元用治具１Ｂの解体作業までを説明する。昇降路１０の互いに対向する壁１１には上下方向の適所にアンカーボルト１２が取り付けされ、最上位置のアンカーボルト１２の箇所を除いて、他のアンカーボルト１２の箇所にはナット１３を用いてレールブラケット１４が既に固定されているものとする。
【００２３】
先ず、昇降路１０の最上位置の互いに対向するアンカーボルト１２，（図示せず）の間に吊り元用治具１Ｂを掛け渡し、吊り元用治具１Ｂの各フランジ部７，（図示せず）のボルト挿通孔８に２箇所のアンカーボルト１２，（図示せず）をそれぞれ挿通する。ボルト挿通孔８より突出したアンカーボルト１２，（図示せず）の先端にナット１３を螺入することにより吊り元用治具１Ｂを各アンカーボルト１２，（図示せず）に固定する。次に、吊り元用治具１Ｂを吊り元として揚重機器（図示せず）を取り付け、この揚重機器のロープ（図示せず）の先端にエレベータ機器であるガイドレール（図示せず）を引っ掛けて所定位置の高さまで吊り上げる。このように所定高さまで吊り上げたガイドレールを位置調整用ブラケット（図示せず）を介してレールブラケット１４に取り付ける。
【００２４】
全てのガイドレール等の吊り上げ及び取り付け作業が終了すると、揚重機器と共に吊り元用治具１Ｂをアンカーボルト１２，（図示せず）より取り外す。そして、この各アンカーボルト１２，（図示せず）にレールブラケット１４をそれぞれ取り付ける。この最上位置の各レールブラケット１４に位置調整用ブラケット（図示せず）を介してガイドレールをそれぞれ取り付ける。
【００２５】
以上、第２実施形態の吊り元用治具１Ｂを用いることにより、アンカーボルト１２が取り付けられた後では、そのアンカーボルト１２の間に吊り元用治具１Ｂを単に取り付ければ吊り元の設置ができ、アンカーボルト１２より吊り元用治具１Ｂを取り外せば吊り元の解体が完了し、アンカーボルト１２まで取り外す必要がないため、揚重作業の吊り元の設置及びその解体に手間がかからない。
【００２６】
また、吊り元用治具１Ｂは、最上位置の一対のアンカーボルト１２，（図示せず）に架設されるため、下方の各ガイドレール（図示せず）の真上位置やその近傍を吊り元位置に容易に設定できるため、ガイドレールの吊り上げ位置を最適な位置にできるという利点がある。
【００２７】
第２実施形態では、吊り元用治具１Ｂに長さ調整部（図示せず）が設けられているため、２箇所のアンカーボルト１２間の距離が異なる場合、具体的には、対向する壁１１の幅が異なる昇降路１０等に適用可能である。
【００２８】
図３は本発明の第３実施形態を示し、吊り元用治具を設置した状態を示す要部斜視図である。
【００２９】
図３に示すように、第３実施形態の吊り元用治具１Ｃは、ストレート状の梁部９と、この梁部９の両側に各方向調整部２０を介して連結された両端のフランジ部２１とから構成され、全体として梁形状を有する。各フランジ部２１には長孔のボルト挿通孔８が形成されており、このボルト挿通孔８を利用しアンカーボルト１２に着脱自在に取り付けできるようになっている。
【００３０】
次に、この吊り元用治具１Ｃの設置作業から揚重作業を経て吊り元用治具の解体作業までを説明する。昇降路１０の互いに直交する壁１１には上下方向の適所にアンカーボルト１２が取り付けされ、最上位置のアンカーボルト１２の箇所を除いて、他のアンカーボルト（図示せず）の箇所にはナット（図示せず）を用いてレールブラケット（図示せず）が既に固定されているものとする。このレールブラケットは、乗りかご用やカウンターウェイト用のガイドレール（図示せず）を設置するためのものである。
【００３１】
先ず、吊り元用治具１Ｃのいずれか一方の方向調整部２０を操作してフランジ部２１の向きを変え、両端のフランジ部２１が互いに直交する向きとする。そして、昇降路１０の最上位置の互いに直交するアンカーボルト１２の間に吊り元用治具１Ｃを掛け渡し、吊り元用治具１Ｃの各フランジ部２１のボルト挿通孔８にアンカーボルト１２を挿通する。ボルト挿通孔１２より突出したアンカーボルト１２の先端にナット１３を螺入することにより吊り元用治具１Ｃを各アンカーボルト１２に固定する。次に、吊り元用治具１Ｃを吊り元として揚重機器１５を取り付け、この揚重機器１５のロープ１５ａの先端にエレベータ機器であるガイドレール（図示せず）を引っ掛けて所定位置の高さまで吊り上げる。このように所定高さまで吊り上げたガイドレールを位置調整用ブラケット（図示せず）を介してレールブラケット（図示せず）に取り付ける。
【００３２】
全てのガイドレール等の吊り上げ及び取り付け作業が終了すると、揚重機器１５と共に吊り元用治具１Ｃをアンカーボルト１２より取り外す。そして、この各アンカーボルト１２にレールブラケット（図示せず）をそれぞれ取り付ける。この最上位置の各レールブラケット（図示せず）に位置調整用ブラケット（図示せず）を介してガイドレール（図示せず）をそれぞれ取り付ける。
【００３３】
以上、第３実施形態の吊り元用治具１Ｃを用いることにより、前記第２実施形態と同様に、アンカーボルト１２の取付後では既にあるアンカーボルト１２の間に吊り元用治具１Ｃを単に取り付ければ吊り元の設置ができ、アンカーボルト１２より吊り元用治具１Ｃを取り外せば吊り元の解体が完了し、アンカーボルト１２まで取り外す必要がないため、揚重作業の吊り元の設置及びその解体に手間がかからない。
【００３４】
また、吊り元用治具１Ｃは、最上位置の一対のアンカーボルト１２に架設されるため、下方の各ガイドレール（図示せず）の真上位置やその近傍を吊り元位置に容易に設定できるため、ガイドレール（図示せず）の吊り上げ位置を最適な位置にできるという利点がある。
【００３５】
第３実施形態では、吊り元用治具１Ｃに端部の向きを調整できる方向調整部２０を設けたことにより、互いに対向位置の壁１１に固定されたアンカーボルト１２のみならず、例えば直交する壁１１に固定されたアンカーボルト１２であっても架設できる。このため、吊り元用治具１Ｃの設置バリエーションが広がる。第３実施形態の吊り元用治具１Ｃには両側に方向調整部２０が設けられているため、梁部９の設置方向を自由にでき、設置バリエーションが広いという利点がある。
【００３６】
尚、第１実施形態の吊り元用治具１Ａに方向調整部２０を設ければ、互いに対向位置の壁１１に固定されたレールブラケットのみならず、例えば直交する壁に固定されたレールブラケットであっても架設できるため、吊り元用治具の設置バリエーションが広がる。
【００３７】
図４及び図５は本発明の第４実施形態を示し、図４は吊り元用治具を設置した状態を示す要部側面図、図５（ａ）は吊り元用治具の平面図、図５（ｂ）は吊り元用治具の正面図、図５（ｃ）は吊り元用治具の側面図である。
【００３８】
図４及び図５に示すように、吊り元用治具１Ｄは、垂直板部２２と水平板部２３が一体形成されたＬ字形状を基本形状とすると共に、垂直板部２２と水平板部２３の間に補強リブ板部２４が付設されているが、基本的にレールブラケット形状を有している。垂直板部２２には長孔のボルト挿通孔２５（図５（ｂ）に示す）が適所に形成され、このボルト挿通孔２５によってアンカーボルト１２に取り付け可能にされている。水平板部２３には長孔等のボルト挿通孔２６（図５（ａ）に示す）が適所に形成され、このボルト挿通孔２６によってガイドレール側の部材である位置調整用ブラケット（図示せず）が取り付け可能にされている。補強リブ板部２４には吊り元部である吊り元用孔２７が形成され、吊り元用孔２７によって揚重機器の滑車２８が取り付け可能にされている。この吊り元用治具１Ｄは、補強リブ体部２４によって剪断力に強く、揚重作業時に受ける剪断荷重に十分に耐えうる構造になっている。
【００３９】
次に、この吊り元用治具１Ｄの設置作業から揚重作業を経て吊り元用治具１Ｄの解体作業までを説明する。昇降路１０の互いに対向する壁１１には上下方向の適所にアンカーボルト１２が取り付けされ、最上位置のアンカーボルト１２の箇所を除いて、他のアンカーボルト（図示せず）の箇所にはナット（図示せず）を用いてレールブラケット（図示せず）が既に固定されているものとする。このレールブラケットは、乗りかご用やカウンターウェイト用のガイドレール１６を設置するためのものである。
【００４０】
先ず、昇降路１０の最上位置のアンカーボルト１２に吊り元用治具１Ｄをナット１３により取り付ける。次に、吊り元用治具１Ｄの吊り元用孔２７を吊り元として滑車２８を取り付け、この滑車２８に揚重機器のロープ２９を掛け渡し、このロープ２９の先端にエレベータ機器であるガイドレール１６を引っ掛けて所定位置の高さまで吊り上げる。このように所定高さまで吊り上げたガイドレール１６を位置調整用ブラケット（図示せず）を介してレールブラケット（図示せず）に取り付ける。
【００４１】
全てのガイドレール１６等の吊り上げ及び取り付け作業が終了すると、滑車２８を吊り元用治具１Ｄより取り外す。そして、この吊り元用治具１Ｄには最上位置のレールブラケットとしてガイドレール１６を取り付ける。
【００４２】
以上、第４実施形態では、最終的にレールブラケットとして利用される吊り元用治具１Ｄを利用するため、吊り元自体を設置する作業及び解体する作業を省略できる。このため、揚重作業の吊り元の設置及びその解体に手間が全くかからないという利点がある。
【００４３】
また、吊り元用治具１Ｄは、最上位置の一対のアンカーボルト１２に取り付けるため、下方の各ガイドレール（図示せず）の真上位置を吊り元位置に容易に設定できるため、ガイドレール（図示せず）の吊り上げ位置を最適な位置にできるという利点がある。
【００４４】
尚、前記第１及び第２実施形態の吊り元用治具１Ａ，１Ｂは、揚重作業の後に取り外しをしなければガイドレール１６やレールブラケット１４を取り付けできなかったが、吊り元用治具１Ａ，１Ｂを取り外さなくてもガイドレール１６やレールブラケット１４の取り付けができる構造とすれば揚重作業の吊り元の解体作業が全く必要なくなる。そして、エレベータの据付け工事の後に行われるロープ交換等の作業で吊り元として活用できる。
【００４５】
【発明の効果】
以上説明したように、本発明によれば、吊り元用治具を最上位置のレールブラケットの間に設置し、この吊り元用治具を吊り元として揚重機器を設置してエレベータ機器の揚重作業を行い、揚重作業が終了すると、吊り元用治具を取り外し、吊り元用治具が取り外された最上位置のレールブラケットをガイドレールの取り付けに利用するようにしたことにより、最上位置のレールブラケットが既に取り付けられている場合には、そのレールブラケットの間に吊り元用治具を単に取り付ければ吊り元の設置ができる。また、レールブラケットより吊り元用治具を取り外せば吊り元の解体が完了し、レールブラケットまで取り外す必要がないため、揚重作業の吊り元の設置及びその解体に手間がかからないという効果がある。
【００４６】
また、本発明は、昇降路の壁に固定された２箇所のアンカーボルトの間に着脱自在に架設できる吊り元用治具であり、この吊り元用治具を最上位置の２箇所のアンカーボルトの間に架設することにより、最上位置のアンカーボルトが既に取り付けられている場合には、そのアンカーボルトの間に吊り元用治具を単に取り付ければ吊り元の設置ができ、アンカーボルトより吊り元用治具を取り外せば吊り元の解体が完了し、アンカーボルトまで取り外す必要がないため、揚重作業の吊り元の設置及びその解体に手間がかからないという効果がある。
【００４７】
さらに、本発明によれば、吊り元用治具を最上位置のアンカーボルトに固定し、この吊り元用治具の吊り元部を吊り元として揚重用機器を設置してエレベータ機器の揚重作業を行い、揚重作業を終了後に吊り元用治具より揚重機器を取り外し、吊り元用治具をレールブラケットとして利用するため、吊り元自体を設置する作業及び解体する作業が全く必要なく、揚重作業の吊り元の設置及びその解体の手間を省くことができる。
【図面の簡単な説明】
【図１】本発明の第１実施形態を示し、吊り元用治具を設置した状態を示す要部側面図である。
【図２】本発明の第２実施形態を示し、吊り元用治具を設置した状態を示す要部斜視図である。
【図３】本発明の第３実施形態を示し、吊り元用治具を設置した状態を示す要部斜視図である。
【図４】本発明の第４実施形態を示し、吊り元用治具を設置した状態を示す要部側面図である。
【図５】本発明の第４実施形態を示し、（ａ）は吊り元用治具の平面図、（ｂ）は吊り元用治具の正面図、（ｃ）は吊り元用治具の側面図である。
【図６】従来の揚重機器の設置位置を示す概略断面図である。
【符号の説明】
１Ａ　吊り元用治具
１Ｂ　吊り元用治具
１Ｃ　吊り元用治具
１Ｄ　吊り元用治具
４　長さ調整部
１０　昇降路
１１　壁
１２　アンカーボルト
１４　レールブラケット
１５　揚重機器
１６　ガイドレール（エレベータ機器）
２０　方向調整部
２６　ボルト挿通孔（ガイドレール側の部品の取付部）
２７　吊り元用孔（吊り元部）
２８　滑車（揚重機器）
【図１】
2004136993.tif 000003
【図２】
2004136993.tif 000004
【図３】
2004136993.tif 000005
【図４】
2004136993.tif 000006
【図５】
2004136993.tif 000007
【図６】
2004136993.tif 000008